(57)【要約】【課題】表示装置を複数台並べたマルチディスプレイ構成として使用する場合に、上下方向の表示装置での画像のズレが生じないようにする。【解決手段】補間画像生成部は、フレーム画像と、前記フレーム画像の次のフレーム画像とを補間する画像を示す補間画像を生成する。表示制御部は、表示部に表示させる画像をフレーム画像から次のフレーム画像に切替える場合、少なくとも第１段階及び第１段階の後の段階である第２段階により表示を切替え、第１段階において表示部に表示させる画像をフレーム画像から補間画像に切替え、第２段階において表示部に表示させる画像を補間画像から次のフレーム画像に切替える。【選択図】図１０
2018197786.tif 000002
【特許請求の範囲】
【請求項１】
マルチディスプレイを構成する表示装置であって、
フレーム画像と、前記フレーム画像の次のフレーム画像とを補間する画像を示す補間画像を生成する補間画像生成部と、
表示部に表示させる画像を前記フレーム画像から前記次のフレーム画像に切替える場合、少なくとも第１段階及び前記第１段階の後の段階である第２段階により表示を切替え、前記第１段階において前記表示部に表示させる画像を前記フレーム画像から前記補間画像に切替え、前記第２段階において前記表示部に表示させる画像を前記補間画像から前記次のフレーム画像に切替える表示制御部、
を備える表示装置。
【請求項２】
前記表示制御部は、
前記フレーム画像から前記次のフレーム画像に切替える第１周期よりも短い第２周期で、前記表示部に表示させる画像を前記フレーム画像から前記補間画像、さらに前記補間画像から前記次のフレーム画像に切替える、
請求項１に記載の表示装置。
【請求項３】
前記表示制御部は、前記マルチディスプレイの構成において自身の表示装置の上に配置される他の表示装置が存在しない場合、前記表示部に表示させる画像を前記フレーム画像から前記補間画像に切替えない、
請求項２に記載の表示装置。
【請求項４】
前記表示制御部は、前記表示部に表示させる画像の前記表示部における表示箇所に基づいて、前記表示部に表示させる画像を前記フレーム画像から前記補間画像に切替えるか、前記フレーム画像から前記次のフレーム画像に切替えるかを判定する、
請求項１から請求項３のいずれか一項に記載の表示装置。
【請求項５】
前記補間画像は、単色の画像である、
請求項１から請求項４のいずれか一項に記載の表示装置。
【請求項６】
前記単色の画像は、黒色の画像である、
請求項５に記載の表示装置。
【請求項７】
少なくとも上下に表示装置を配置して構成したマルチディスプレイの表示方法であって、前記表示装置のうち前記マルチディスプレイの構成において少なくとも下段に配置される表示装置は、
フレーム画像と、前記フレーム画像の次の次のフレーム画像とを補間する画像を示す補間画像を生成する工程と、
表示させる画像を前記フレーム画像から前記次のフレーム画像に切替える場合、第１段階において前記補間画像を表示部に出力し、前記第１段階の後の段階である第２段階において前記次のフレーム画像を前記表示部に出力する工程と、
を含む処理により、前記表示部に画像を表示するようにした、
マルチディスプレイの表示方法。
【発明の詳細な説明】
【技術分野】
【０００１】
本発明は、表示装置、及びマルチディスプレイの表示方法に関する。
【背景技術】
【０００２】
液晶ディスプレイなどのホールド型デバイスを使用して大画面を表示するために、表示装置を複数台並べてマルチディスプレイの映像表示システムを構築した場合、上下に隣接する表示装置が垂直方向の走査を同期して行うために、上下の表示装置の繋ぎ目部分の表示に１フレーム分の時間差が生じる。このため、動画を表示する際に上下の表示装置の繋ぎ目部分で画像のズレが発生してしまうという問題があった。
【０００３】
特許文献１には、上下２段に表示装置を配置したマルチディスプレイの映像表示システムにおいて、下側の表示装置の垂直走査の開始時期を１フレーム遅延させることで、上下の表示装置の繋ぎ目部分での画像のズレを軽減する技術が開示されている。
【先行技術文献】
【特許文献】
【０００４】
【特許文献１】特開２００１−２２２２６９号公報
【発明の概要】
【発明が解決しようとする課題】
【０００５】
特許文献１に記載されている技術によれば、上下２段の配置のときのみ繋ぎ目部分のズレを解消することができるが、３画面以上のマルチディスプレイの映像表示システムでは、上下の表示装置の繋ぎ目部分での画像のズレを完全に解消することはできない。
【０００６】
また、上下の表示装置の繋ぎ目部分での画像の表示時間を合わせることによって、上下のズレを抑えることはできる。図１１は、上下の表示装置の繋ぎ目部分での画像の表示時間を合わせるようにした場合の説明図である。図１１では、最上段の表示装置は上から下に走査を行い、その下段の表示装置は下から上に走査を行い、更にその下段の表示装置は上から下に走査を行っている。この場合、上下の表示装置の繋ぎ目部分での画像の表示時間が合っているので、上下の表示装置の繋ぎ目部分での画像のズレは生じない。しかしながら、この場合、走査方向が上下の表示装置で異なるため、フレームの残像により、図１１に示すように、上下の表示装置で、くの字に曲がったように、表示画像が不自然に見えてしまう。
【０００７】
上述の課題を鑑み、本発明は、表示装置を複数台並べたマルチディスプレイ構成として使用する場合に、上下方向の表示装置での画像のズレが生じないようにした表示装置、及びマルチディスプレイの表示方法を提供することを目的とする。
【課題を解決するための手段】
【０００８】
上述の課題を解決するために、本発明の一態様に係る表示装置は、マルチディスプレイを構成する表示装置であって、フレーム画像と、前記フレーム画像の次のフレーム画像とを補間する画像を示す補間画像を生成する補間画像生成部と、表示部に表示させる画像を前記フレーム画像から前記次のフレーム画像に切替える場合、少なくとも第１段階及び前記第１段階の後の段階である第２段階により表示を切替え、前記第１段階において前記表示部に表示させる画像を前記フレーム画像から前記補間画像に切替え、前記第２段階において前記表示部に表示させる画像を前記補間画像から前記次のフレーム画像に切替える表示制御部、を備える。
【０００９】
本発明の一態様に係るマルチディスプレイの表示方法は、少なくとも上下に表示装置を配置して構成したマルチディスプレイの表示方法であって、前記表示装置のうち少なくとも下段の表示装置は、フレーム画像と、前記フレーム画像の次の次のフレーム画像とを補間する画像を示す補間画像を生成する工程と、表示させる画像を前記フレーム画像から前記次のフレーム画像に切替える場合、第１段階において前記補間画像を表示部に出力し、前記第１段階の後の段階である第２段階において前記次のフレーム画像を前記表示部に出力する工程と、を含む処理により、前記表示部に画像を表示する。
【発明の効果】
【００１０】
本発明によれば、倍速後の最初のフレームのみフレーム補間した画像へ切り替えることによって、表示装置を複数台並べたマルチディスプレイ構成として使用する場合に、上下方向の表示装置での画像のズレを軽減することができる。
【図面の簡単な説明】
【００１１】
【図１】本発明の第１の実施形態に係る表示装置１０の構成を示すブロック図である。
【図２】本発明の第１の実施形態に係る表示装置１０における逓倍速処理部１３の一例を示すブロック図である。
【図３】本発明の第１の実施形態に係る表示装置１０を用いて構築したマルチディスプレイ表示システム１の構成の説明図である。
【図４】複数の表示装置１０を二次元配列したマルチディスプレイ表示システムで、上下の表示装置の繋ぎ目部分で画像ズレが発生することの説明図である。
【図５】複数の表示装置１０を二次元配列したマルチディスプレイ表示システムで、上下の表示装置の繋ぎ目部分で画像ズレが発生することの説明図である。
【図６】本発明の第１の実施形態に係る表示システムでの上下の表示装置１０の繋ぎ目部分での画像の説明図である。
【図７】本発明の第１の実施形態に係る表示装置１０の動作を示すフローチャートである。
【図８】本発明の第１の実施形態の説明に用いる模式図である。
【図９】本発明の他の実施形態の説明に用いる模式図である。
【図１０】本発明による表示装置１０の基本構成を示す概略ブロック図である。
【図１１】上下の表示装置の繋ぎ目部分での画像の表示時間を合わせるようにした場合の説明図である。
【発明を実施するための形態】
【００１２】
以下、本発明の実施の形態について図面を参照しながら説明する。図１は、本発明の第１の実施形態に係る表示装置１０の構成を示すブロック図である。図１に示すように、本発明の第１の実施形態に係る表示装置１０は、入力部１１、映像信号処理部１２、逓倍速処理部１３、フレーム補間部１４、スイッチ部１５、駆動部１６、表示部１７、及び制御部１８から構成される。
【００１３】
入力部１１には、映像信号が入力される。入力部１１は、各種入力端子の切り替え回路を含む。また、入力部１１は、入力映像信号がアナログ信号の場合はＡ／Ｄ（Analog-to-Digital）変換器を含み、入力映像信号がデジタル信号の場合は、レシーバー回路を含む。入力部１１は、その他、同期信号処理回路等を含む。
【００１４】
映像信号処理部１２は、入力映像信号に対して、カラー調整や輝度調整等の各種の処理を行う回路を含む。
【００１５】
逓倍速処理部１３は、駆動周波数を３倍速、４倍速など、映像のフレームレートを逓倍速する回路である。逓倍速処理部１３は、入力映像信号の一部分を拡大表示するためのビデオメモリ、ビデオメモリへの映像信号の書込み処理や読出し処理を制御するための回路を含む。
【００１６】
フレーム補間部１４は、１つ前のフレームの画像と現フレームの画像を合成して、補間フレームの補間画像を生成する。
【００１７】
スイッチ部１５は、制御部１８の制御の下に、フレーム補間部１４からの補間フレームの画像と、逓倍速処理部１３からの逓倍速処理後の画像とを切り替える回路である。
【００１８】
駆動部１６は、表示部１７を駆動して、表示部１７に画像を表示させる。表示部１７は、フレーム単位で表示情報の切り替わるホールド型デバイスのディスプレイである。この例では、表示部１７は、液晶表示素子が格子状に配列された固定画素からなるＬＣＤ（Liquid Crystal Display）が用いられる。また、表示部１７は、倍速駆動が可能な構成とされている。
【００１９】
制御部１８は、入力部１１、映像信号処理部１２、逓倍速処理部１３、フレーム補間部１４、スイッチ部１５、駆動部１６等、表示装置１０を構成する各部の全体を制御する。
【００２０】
図２は、上述の表示装置１０における逓倍速処理部１３の一例を示すブロック図である。図２に示すように、逓倍速処理部１３は、書込み処理部２６、読出し処理部２７、及びビデオメモリ２８から構成される。
【００２１】
書込み処理部２６は、入力された映像信号をビデオメモリ２８に書き込むための処理を行う。書込み処理部２６は、入力映像信号の水平同期信号（以下Ｈｓｙｎｃと記す。）を整数倍に逓倍した書込み用クロック生成部を有し、その他ＨｓｙｎｃおよびＶｓｙｎｃ（垂直同期信号）を基準としてビデオメモリ２８に映像信号を書き込むための各種タイミング信号を生成する。これら書込み用クロックや各種タイミング信号の生成は、制御部１８からの指示に従って行う。
【００２２】
読出し処理部２７は、ビデオメモリ２８から映像信号を読み出すための読出し用クロック生成部を有する。また、読出し処理部２７は、入力映像信号の垂直同期信号Ｖｓｙｎｃを基準として、制御部１８からの指示によりマルチディスプレイ表示装置における自己の位置によりビデオメモリ２８から読み出すべき領域を指定し、各種タイミング信号を生成する。
【００２３】
なお、入力映像信号の水平同期信号Ｈｓｙｎｃを逓倍した書込み用クロックが入力映像信号によって様々な周波数となるのに対して、読出し用クロックは、表示部１７に最適化された固定の周波数である。
【００２４】
図３は、本発明の第１の実施形態に係る表示装置１０を用いて構築した表示システム１の構成の説明図である。図３に示すように、このような表示システム１は、例えば９個の表示装置１０−１〜１０−９を（３×３）に二次元配列して構成される。各表示装置１０−１〜１０−９の構成は、図１及び図２に示した通りである。
【００２５】
映像信号は、例えば左上の表示装置１０−１に最初に接続され、その映像出力を隣接する表示装置に縦列接続されている。すなわち、各表示装置１０−１〜１０−９には同一の映像信号が接続されており、各表示装置１０−１〜１０−９は、表示システム１における自己の位置により、映像信号のうち自己の表示すべき領域を抜き出し、縦横それぞれ３倍に拡大して表示する。例えば左上の表示装置１０−１は、映像信号のうち、左上の１／３の領域を縦横それぞれ３倍に拡大して表示する。これにより、表示装置１０−１〜１０−９全体で１つの大画面を映し出すことができる。
【００２６】
図４及び図５は、複数の表示装置１０−１〜１０−９を二次元配列したマルチディスプレイ表示システムで、上下の表示装置の繋ぎ目部分で画像ズレが発生することの説明図である。すなわち、図３に示したように、複数の表示装置１０−１〜１０−９を二次元配列したマルチディスプレイ表示システムの場合、特に動きの激しい画面では、上下の表示装置の繋ぎ目部分で、画像のズレが発生してしまうことがある。図４及び図５は、このことについて説明している。
【００２７】
図４では、例えば、左上の表示装置１０−１とその下段の表示装置１０−２との間で、画像のズレが生じることが示されている。つまり、表示装置１０−１〜１０−９では、表示部１７として、ホールド型デバイスが用いられている。表示部１７には、上から下の順に、画像が書き込まれ、この画像が表示されていく。この場合、表示部１７に画面が書き込まれる途中では、画面の上側では新しい画像に書き換えられるが、画面の下側では、前の画像が残っている状態があり得る。
【００２８】
図４に示す状態では、表示装置１０−１では、画面の上部は、新しいフレームＦ１の画像が書き込まれ、画面の下部は、前のフレームＦ０の画像が残っている。このとき、表示装置１０−２では、同様に、画面の上側に新しいフレームＦ１の画像が書き込まれ、画面の下部は、前のフレームＦ０の画像が残っている。図４に示すように、表示装置１０−１の画面の下部は前のフレームＦ０の画像であるのに対して、表示装置１０−２の画面の上部は新しいフレームＦ１の画像であることから、上の段の表示装置１０−１の画面と下の段の表示装置１０−２の画面とのつなぎ目で画像のズレが生じる。
【００２９】
図５は、（３×３）に配置された表示装置１０−１〜１０−９で、斜めのラインＬ１、Ｌ２、Ｌ３が左から右に動いていく画面を表示した例である。図５に示すように、各表示装置１０−１〜１０−９の上部では、新しいフレームの画像に書き換えられているため、画像が右側に動いており、ラインＬ１、Ｌ２、Ｌ３の位置は、新たなラインＬ１ａ、Ｌ２ａ、Ｌ３ａの位置になっている。これに対して、各表示装置１０−１〜１０−９の下部では、前のフレームの画像が残っているため、各ラインＬ１、Ｌ２、Ｌ３の画像は元の位置にある。このため、図５に示すように、上段の表示装置の画像と下段の表示装置の画像とでズレが生じ、不自然な画面となる。
【００３０】
そこで、本実施形態では、３倍速後の１フレーム目を、１フレーム前の画像と現在のフレームの画像をフレーム補間した画像と切り替え、２フレーム目以降では、３倍速の画像に切り替えるようにしている。
【００３１】
すなわち、図１における入力部１１に、フレームＦ０、Ｆ１、Ｆ２、Ｆ３の映像信号が入力されると、逓倍速処理部１３からは、同一フレームの画像がそれぞれ３回連続して読み出される。つまり、逓倍速処理部１３からは、３倍速で、フレームＦ０、Ｆ０、Ｆ０の画像が出力され、フレームＦ１、Ｆ１、Ｆ１の画像が出力され、フレームＦ２、Ｆ２、Ｆ２の画像が出力され、フレームＦ３、Ｆ３、Ｆ３の画像が出力される。入力映像信号のフレーム周波数をｆｖとすると、逓倍速処理部１３からの３倍速フレームのフレーム周波数は３ｆｖである。つまり、逓倍速処理部１３からは、通常のフレーム切替え周期よりも３倍早い周期で、フレームＦ０、Ｆ０、Ｆ０の画像が出力される。
また、フレーム補間部１４からは、隣接フレームの間で合成して生成された補間フレームの画像が生成され、補間フレーム（Ｆ０＋Ｆ１）、（Ｆ１＋Ｆ２）、（Ｆ２＋Ｆ３）の画像が出力される。なお、（Ｆ０＋Ｆ１）の表記は、単純な加算を意味するものではなく、フレームＦ０の画像とフレームＦ１の画像とを合成して補間画像を生成することを意味するものとする。
【００３２】
制御部１８は、３倍速フレームの最初のフレームでは、フレーム補間部１４からの映像が選択され、３倍速フレームのその後のフレームでは、逓倍速処理部１３からの映像が選択されるように、スイッチ部１５を切り替える。すなわち、スイッチ部１５は、周波数ｆｖの入力映像信号のフレームと、周波数３ｆｖの３倍速のフレームとが同期するタイミングで端子１５ａ側に切り替えられた後、以降、端子１５ｂ側に切り替えられる。これにより、スイッチ部１５からは、フレーム周波数３ｆｖで、初期フレームＦ０、Ｆ０、Ｆ０の画像が出力された後、補間フレーム（Ｆ０＋Ｆ１）、フレームＦ１、Ｆ１の画像が出力され、補間フレーム（Ｆ１＋Ｆ２）、フレームＦ２、Ｆ２の画像が出力され、補間フレーム（Ｆ２＋Ｆ３）、フレームＦ３、Ｆ３の画像が出力されるようになる。
【００３３】
図６は、本発明の第１の実施形態に係る表示システム１での上下の表示装置の繋ぎ目部分での画像の説明図である。図６の例では、例えば、左上の表示装置１０−１とその下段の表示装置１０−２について説明する。ここでは、入力映像信号がフレームＦ０からフレームＦ１に切り替わったとする。
【００３４】
前述したように、本実施形態では、３倍速フレームの最初のフレームでは、フレーム補間部１４からの映像が選択され、その後の３倍速フレームでは、逓倍速処理部１３から映像が選択されるように、スイッチ部１５が切り替えられる。したがって、入力映像信号がフレームＦ０からフレームＦ１に切り替わると、スイッチ部１５からは、補間フレーム（Ｆ０＋Ｆ１）、フレームＦ１、Ｆ１の画像が順に出力される。つまり、スイッチ部１５からは、通常のフレーム切替え周期よりも３倍早い周期で、補間フレーム（Ｆ０＋Ｆ１）、フレームＦ１、Ｆ１の画像が順に出力される。
【００３５】
３倍速の１番目のフレームでは、補間フレーム（Ｆ０＋Ｆ１）の補間画像が出力される。前回のフレームはＦ０である。したがって、図６（Ａ）に示すように、表示装置１０−１では、画面の上部は、補間フレーム（Ｆ０＋Ｆ１）の補間画像に書き換えられ、画面の下部は、前のフレームＦ０の画像が残っている状態となる。同様に、表示装置１０−２では、画面の上部は、補間フレーム（Ｆ０＋Ｆ１）の補間画像に書き換えられ、画面の下部は、前のフレームＦ０の画像が残っている状態となる。表示装置１０−１の画面の下部は前のフレームＦ０の画像であるのに対して、表示装置１０−２の画面の上部は補間フレーム（Ｆ０＋Ｆ１）の補間画像であるが、補間フレーム（Ｆ０＋Ｆ１）の補間画像は、フレームＦ０の成分を含んでいるため、つなぎ目で画像のズレは、殆ど目立たない。
【００３６】
３倍速の２番目のフレームでは、フレームＦ１の画像が出力される。前回のフレームは補間フレーム（Ｆ０＋Ｆ１）である。したがって、図６（Ｂ）に示すように、表示装置１０−１では、画面の上部は、現フレームＦ１の画像に書き換えられ、画面の下部は、補間フレーム（Ｆ０＋Ｆ１）の補間画像が残っている状態となる。同様に、表示装置１０−２では、画面の上部は、現フレームＦ１の画像に書き換えられ、画面の下部は、補間フレーム（Ｆ０＋Ｆ１）の補間画像が残っている状態となる。表示装置１０−１の画面の下部は補間フレーム（Ｆ０＋Ｆ１）の補間画像であるのに対して、図６（Ｂ）に示すように、表示装置１０−２の画面の上部は現フレームＦ１の画像であるが、補間フレーム（Ｆ０＋Ｆ１）の補間画像は、フレームＦ１の成分を含んでいるため、つなぎ目で画像のズレは、殆ど目立たない。
【００３７】
３倍速の３番目のフレームでは、フレームＦ１の画像が出力される。前回のフレームもＦ１である。したがって、図６（Ｃ）に示すように、表示装置１０−１及び表示装置１０−２では、全画面に渡って、現フレームＦ１の画像が蓄積される。上段の表示装置１０−１の画面と、下段の表示装置１０−２の画面とでは、同一フレームの画像となるため、つなぎ目で画像のズレは生じない。
【００３８】
このように、本発明の第１の実施形態では、入力映像信号をフレームＦ０の画像（フレーム画像）からフレームＦ１の画像（次のフレーム画像）に切替える場合に、第１の段階では、１フレーム前の画像と現在のフレームの画像をフレーム補間した補間フレーム（Ｆ０＋Ｆ１）の補間画像に切り替え、第１の段階の後の段階である第２の段階以降では、フレームＦ１の画像（次のフレーム画像）に切り替えることで、上段の表示装置の画面と、下段の表示装置の画面とのつなぎ目での画像のズレは、殆ど生じなくなる。
【００３９】
図７は、本発明の第１の実施形態に係る表示装置１０の動作を示すフローチャートである。
【００４０】
（ステップＳ１）入力部１１から映像信号を入力する。
（ステップＳ２）映像信号が入力されると、逓倍速処理部１３は、例えば３倍速で画像を出力する。
（ステップＳ３）制御部１８は、３倍速フレームの何番目のフレームかを検出する。
（ステップＳ４）制御部１８は３倍速フレームの１番目のフレームか否かを判定し、３倍速フレームの１番目のフレームなら（ステップＳ４：Ｙｅｓ）、処理をステップＳ５に移行し、３倍速フレームの１番目のフレームでなければ（ステップＳ４：Ｎｏ）、処理をステップＳ６に移行する。
（ステップＳ５）制御部１８は、フレーム補間部１４の出力が接続されるように、スイッチ部１５を端子１５ａ側に切り替えて、フレーム補間部１４からの映像信号を駆動部１６に出力する。
（ステップＳ６）制御部１８は、逓倍速処理部１３の出力が接続されるように、スイッチ部１５を端子１５ｂ側に切り替えて、逓倍速処理部１３からの映像信号を駆動部１６に出力する。
（ステップＳ７）駆動部１６は、スイッチ部１５からの映像信号により、表示部１７を駆動して、表示部１７に映像を表示し、処理をステップＳ１に戻す。
【００４１】
図８は、本発明の第１の実施形態の説明に用いる模式図である。ここでは、（３×３）のマルチディスプレイの映像表示システムにおいて、１段目、２段目、３段目の各表示装置の映像表示タイミングと入力映像信号の関係を示す。この例は、縦線が左から右へ移動する状態を１画面が書き換わる様子を４分割で表現している。
【００４２】
図８（Ａ）は、補間フレームの挿入や倍速駆動を行わないときの模式図である。図８（Ａ）に示すように、１段目、２段目、３段目の表示装置が次のフレームを書き換え始めると、各段の画面下部は、まだ前のフレームの画像が残っており、２段目の上部は次のフレームへ書き換わっていくので、画像が動いていると、１段目と２段目の画像にズレが生じる。
【００４３】
図８（Ｂ）は、３倍速で駆動した場合の模式図である。ここでは、３倍速で駆動しているが、補間フレームは挿入していない。この場合、３倍速の１フレーム目では、１段目、２段目、３段目の表示装置が次のフレームを書き換え始めると、各段の画面下部は、まだ前のフレームの画像が残っており、上下の表示装置で画像のズレが生じる。３倍速の２フレーム目と３フレーム目では、１フレーム目で書き換えられた画像から変化がないので、ズレは生じない。
【００４４】
図８（Ｃ）は、本発明の第１の実施形態の模式図である。すなわち、３倍速で駆動し、３倍速の最初のフレームでは、補間フレームを挿入している。この場合、３倍速の１フレーム目では、１段目、２段目、３段目の表示装置が補間フレームを書き換え始めると、各段の画面下部は、まだ前のフレームの画像が残っており、上下の表示装置で画像のズレが生じる。しかしながら、補間フレームは１つ前の画像成分を含んでいるため、画像のズレは殆ど目立たない。３倍速の２フレーム目では、１段目、２段目、３段目の表示装置が現フレームを書き換え始めると、各段の画面下部は、まだ前の補間フレームの画像が残っており、上下の表示装置で画像のズレが生じる。しかしながら、補間フレームは現在のフレームの画像成分を含んでいるため、画像のズレは殆ど目立たない。３倍速の３フレーム目では、１段目、２段目、３段目の表示装置が全て現フレームに書き換えられているため、上下の表示装置で画像のズレは生じない。
【００４５】
なお、図８（Ｃ）の例では、１段目から３段目の全ての表示装置で、１フレーム目にフレーム補間した画像を出力し、それ以降のフレームでは、逓倍画像を出力しているが、１段目の表示装置はそのような処理を行わず、２段目以降の表示装置では、１フレーム目にフレーム補間した画像を出力し、それ以降のフレームでは、逓倍画像を出力するような処理を行っても効果がある。
【００４６】
図８（Ｄ）では、１段目の表示装置では、１フレーム目にフレーム補間した画像を出力し、それ以降のフレームでは、逓倍画像を出力する処理を行わず、通常の３倍速駆動のように、３倍速の１フレーム目、２フレーム目、３フレーム目で、連続して、３倍速画像が出力されるようにしている。そして、２段目の以降の表示装置では、３倍速の１フレーム目では補間フレームの補間画像が出力され、２フレーム目、３フレーム目では、３倍速画像が出力されるようにしている。図８（Ｄ）に示すように、この場合にも、上下の表示装置で画像のズレを軽減する効果が得られる。
【００４７】
以上説明したように、本発明の第１の実施形態では、３倍速後の最初のフレームのみフレーム補間した画像へ切り替えることによって、表示装置を複数台並べたマルチディスプレイ構成として使用する場合に、上下方向の表示装置での画像のズレを軽減することができる。なお、上述の実施形態では、映像信号を３倍速で駆動しているが、３倍速に限らず、２倍速、４倍速、５倍速、…等であっても良い。
【００４８】
次に、本発明の他の実施形態について説明する。前述の第１の実施形態では、３倍速後の最初のフレームを、隣接するフレームで合成された補間した画像に切り替えている。これに対して、この実施形態では、３倍速後の最初のフレームを、単色の補間画像に切り替えている。
【００４９】
図９は、本発明の他の実施形態の説明に用いる模式図である。ここでは、（３×３）のマルチディスプレイの映像表示システムにおいて、１段目、２段目、３段目の各表示装置の映像表示タイミングと入力映像信号の関係を示す。この例は、縦線が左から右へ移動する状態を１画面が書き換わる様子を４分割で表現している。
【００５０】
図９（Ａ）は、２段目以降の１フレーム目に補間画像の代わりに黒色を挿入している。この場合、３倍速の１フレーム目では、２段目、３段目の表示装置が黒色を書き換え始めると、各段の画面下部は、まだ前のフレームの画像が残っており、上下の表示装置で画像の差異が生じる。しかしながら、黒色画像との差異であるため、画像のズレとしては認識されにくい。３倍速の２フレーム目では、２段目、３段目の表示装置が現フレームを書き換え始めると、２段目、３段目の画面下部は、まだ黒色の画像が残っており、上下の表示装置で画像の差異が生じる。しかしながら、黒色画像との差異であるため、画像のズレとしては認識されにくい。３倍速の３フレーム目では、１段目、２段目、３段目の表示装置が全て現フレームに書き換えられているため、上下の表示装置で画像のズレは生じない。
【００５１】
また、上下の表示装置の境目がわかりやすいので、例えば、画面上半分のみをフレーム補間した画像や黒画像に切り替えても効果がある。図９（Ｂ）では、１段目の表示装置では、３倍速の１フレーム目、２フレーム目、３フレーム目で、連続して、３倍速画像が出力されるようにし、２段目の以降の表示装置では、３倍速の１フレーム目の上半分では黒の画像が出力され、２フレーム目、３フレーム目では、３倍速画像が出力されるようにしている。
【００５２】
また、画像のズレを目立たなくする目的では、補間画像や黒でなく、グレーなどレベルを目立ちにくい画像に切り替えてもよい。
【００５３】
図１０は、本発明による表示装置の基本構成を示す概略ブロック図である。本発明による表示装置１００は、補間画像生成部１０１、及び表示制御部１０２を基本構成とするマルチディスプレイを構成する表示装置である。補間画像生成部１０１は、フレーム画像と、前記フレーム画像の次のフレーム画像とを補間する画像を示す補間画像を生成する。表示制御部１０２は、表示部１０３に表示させる画像をフレーム画像から次のフレーム画像に切替える場合、少なくとも第１段階及び第１段階の後の段階である第２段階により表示を切替え、第１段階において表示部１０３に表示させる画像をフレーム画像から補間画像に切替え、第２段階において表示部１０３に表示させる画像を補間画像から次のフレーム画像に切替える。
【００５４】
なお、表示装置１００の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５５】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００５６】
１０：表示装置，１１：入力部，１２：映像信号処理部，１３：逓倍速処理部，１４：フレーム補間部，１５：スイッチ部，１６：駆動部，１７：表示部，１８：制御部，１００：表示装置，１０１：補間画像生成部，１０２：表示制御部，１０３：表示部
【図１】
2018197786.tif 000003
【図２】
2018197786.tif 000004
【図３】
2018197786.tif 000005
【図４】
2018197786.tif 000006
【図５】
2018197786.tif 000007
【図６】
2018197786.tif 000008
【図７】
2018197786.tif 000009
【図８】
2018197786.tif 000010
【図９】
2018197786.tif 000011
【図１０】
2018197786.tif 000012
【図１１】
2018197786.tif 000013